(57)【要約】      （修正有）【課題】設置環境の変化に対応して充分な誘引効果を発揮できる捕虫器を提供する。【解決手段】虫を誘引するための誘引光源２と、誘引光源２にて誘引された虫を捕獲する捕虫紙３と、誘引光源２及び捕虫紙３を収納する筐体４と、を具備してなる捕虫器１において、筐体４は、上面に誘引光源２を固定する基部４０と、基部４０の長手方向に沿って上面を覆うように配設され、上頂部に開口部４１ａが形成されるとともに、内側面に捕虫紙３が配設される側部４１と、基部４０の両端に取り付けられ側部４１の側方を閉止する閉止部４２・４２と、閉止部４２の下方に配設され、水平面に対するなす角度が異なる当接面４３ａ〜４３ｃが形成される当接部４３と、を有してなり、当接部４３の何れかの当接面４３ａ〜４３ｃが設置面に当接された状態で設置される。【選択図】図１
0003204262.tif 000002
【実用新案登録請求の範囲】
【請求項１】
虫を誘引するための誘引光源と、前記誘引光源にて誘引された虫を捕獲する捕虫紙と、前記誘引光源及び捕虫紙を収納する筐体と、を具備してなる捕虫器において、
前記筐体は、
上面に前記誘引光源を固定する基部と、
前記基部の長手方向に沿って上面を覆うように配設され、上頂部に開口部が形成されるとともに、内側面に前記捕虫紙が配設される側部と、
前記基部の両端に取り付けられ前記側部の側方を閉止する閉止部と、
前記閉止部の下方に配設され、水平面に対するなす角度が異なる複数の当接面が形成される当接部と、を有してなり、
前記当接部の何れかの当接面が設置面に当接された状態で設置されることを特徴とする捕虫器。
【請求項２】
前記当接部は、断面逆台形状に形成され、台形底面の水平当接面と、該水平当接面と連続される台形側面の二つの傾斜当接面を有してなる請求項１に記載の捕虫器。
【請求項３】
前記閉止部は、内側面に前記側部の端面が係合される係合部材が形成される請求項１又は請求項２に記載の捕虫器。
【請求項４】
前記閉止部及び当接部は、端面面一状に形成される請求項１乃至請求項３のいずれか一項に記載の捕虫器。
【請求項５】
前記基部は、内部に前記誘引光源の電源装置を収納可能な長尺箱状に形成される請求項１乃至請求項４のいずれか一項に記載の捕虫器。
【考案の詳細な説明】
【技術分野】
【０００１】
本考案は、捕虫器の技術に関し、より詳細には、虫を誘引するための誘引光源と、誘引光源にて誘引された虫を捕獲する捕虫紙と、誘引光源及び捕虫紙を収納する筐体と、を具備してなる捕虫器に関する。
【背景技術】
【０００２】
従来、虫を誘引するための誘引光源と、誘引光源にて誘引された虫を捕獲する捕虫紙と、誘引光源及び捕虫紙を収納する筐体と、を具備してなり、誘引光源からの照射光（誘引光）により虫の走光性やすう光性を利用して筐体内に誘導し、筐体内に収納された粘着性の捕虫紙にて捕獲・殺虫するようした捕虫器の構成が公知である。
【０００３】
従来の捕虫器としては、例えば、特許文献１又は特許文献２に開示されるように、上面に誘引光源を固定する基部と、基部の長手方向に沿って上面を覆うように配設され、露光用の開口部が形成される側部等とを有してなり、壁面、天井面、地上面等の設置面に基部等を当接させた状態で固定又は据え置く等して設置される。この種の捕虫器としては、開口部から漏れ出る誘引光で虫を誘引するので、任意の設置面に設置した状態で誘引効果（捕虫効果）を効果的に発揮させるために、開口部の形状や配置に特徴を持たせた構成が各種提案されているところである。
【先行技術文献】
【特許文献】
【０００４】
【特許文献１】特開２００４−１０５０５８号公報
【特許文献２】登録実用新案第３１２３３９１号公報
【考案の概要】
【考案が解決しようとする課題】
【０００５】
しかしながら、上述した特許文献１又は特許文献２に開示される従来の捕虫器は、設置面に対して基部の平面状の一つの底面を当接させる構成であったため、設置姿勢が限定され、例えば、横向きに据え置いて使用する構成（据え置き型）の場合に、設置姿勢を変更して開口部の向きを上下方向や前後方向に調整することができないなど、虫の発生状況が変化しても設置環境に対応できずに誘引効果を充分に発揮できないという課題があった。
【０００６】
そこで、本考案では、捕虫器に関し、前記従来の課題を解決するもので、設置環境の変化に対応して充分な誘引効果を発揮できる捕虫器を提供することを目的とする。
【課題を解決するための手段】
【０００７】
本考案の解決しようとする課題は以上の如くであり、次にこの課題を解決するための手段を説明する。
【０００８】
すなわち、請求項１においては、虫を誘引するための誘引光源と、前記誘引光源にて誘引された虫を捕獲する捕虫紙と、前記誘引光源及び捕虫紙を収納する筐体と、を具備してなる捕虫器において、前記筐体は、上面に前記誘引光源を固定する基部と、前記基部の長手方向に沿って上面を覆うように配設され、上頂部に開口部が形成されるとともに、内側面に前記捕虫紙が配設される側部と、前記基部の両端に取り付けられ前記側部の側方を閉止する閉止部と、前記閉止部の下方に配設され、水平面に対するなす角度が異なる複数の当接面が形成される当接部と、を有してなり、前記当接部の何れかの当接面が設置面に当接された状態で設置されるものである。
【０００９】
請求項２においては、前記当接部は、断面逆台形状に形成され、台形底面の水平当接面と、該水平当接面と連続される台形側面の二つの傾斜当接面を有してなるものである。
【００１０】
請求項３においては、前記閉止部は、内側面に前記側部の端面が係合される係合部材が形成されるものである。
【００１１】
請求項４においては、前記閉止部及び当接部は、端面面一状に形成されるものである。
【００１２】
請求項５においては、前記基部は、内部に前記誘引光源の電源装置を収納可能な長尺箱状に形成されるものである。
【考案の効果】
【００１３】
本考案の効果として、設置環境の変化に対応して十分な誘引効果を発揮できる。
【図面の簡単な説明】
【００１４】
【図１】本考案の一実施例に係る捕虫器の全体的な構成を示した斜視図である。
【図２】同じく図１の正面図である。
【図３】同じく図１の平面図である。
【図４】同じく図１の側面図である。
【図５】閉止部及び当接部の斜視図である。
【図６】当接部の構成を示した拡大側面図である。
【図７】水平当接面が設置面に当接された状態を示す側面図である。
【図８】傾斜当接面が設置面に当接された状態を示す側面図である。
【図９】傾斜当接面が設置面に当接された状態を示す側面図である。
【図１０】別実施例の捕虫器の側面図である。
【図１１】同じく図１０の閉止部及び当接部の斜視図である。
【考案を実施するための形態】
【００１５】
次に、考案を実施するための形態を説明する。なお、以下の実施例においては、図２の矢印Ｘ方向を捕虫器１の上下方向、図２の矢印Ｙ方向を捕虫器１の左右方向、図３の矢印Ｚ方向を捕虫器１の前後方向とする。
【００１６】
図１乃至図４に示すように、本実施例の捕虫器１は、設置面Ｇとしての地上面に対して横向き又は縦向きに据え置いて使用される据え置き型の捕虫器として構成され、具体的には、虫を誘引するための誘引光源２と、誘引光源２にて誘引された虫を捕獲する捕虫紙３と、誘引光源２及び捕虫紙３を収納する筐体４とを具備してなり、誘引光源２からの照射光（誘引光）により虫の走光性やすう光性を利用して筐体４内に誘導し、筐体４内に収納された捕虫紙３にて捕獲・殺虫するものである。
【００１７】
誘引光源２は、直管状の蛍光灯として構成されており、後述する基部４０の上面に設けられたソケット４０ａ・４０ａに着脱可能に取り付けられる。捕虫器１では、この誘引光源２の照射光（誘引光）に含まれる波長３００〜４００ｎｍの紫外線によって虫が筐体４ないに誘引される。
【００１８】
捕虫紙３は、一面に粘着剤が塗布された帯状シートとして構成されており、後述する側部４１の内周面に係合されることで、内側面の円弧形状に沿って左右方向（長手方向）に取り付けられる（図４等参照）。
【００１９】
筐体４は、上面に誘引光源２を固定する基部４０と、基部４０の長手方向に沿って上面を覆うように配設され、上頂部に開口部４１ａが形成されるとともに、内側面に捕虫紙３が配設される側部４１と、基部４０の両端に取り付けられ側部４１の側方を閉止する閉止部４２・４２と、閉止部４２の下方に配設され、水平面に対するなす角度θが異なる当接面４３ａ〜４３ｃが形成される当接部４３等とを有してなる。
【００２０】
基部４０は、ステンレス材等にて長尺箱状に形成され、上面に一対のソケット４０ａ・４０ａが立設されて誘引光源２が着脱可能に取り付けられている。また、基部４０の上面には、誘引光源２の誘引光を開口部４７に向けて反射する反射板４０ｂが基部４０の長手方向に沿って延設されている。基部４０の内部には、誘引光源２のインバータ等の電源装置（図略）が収納されており、基部４０の一方の側面からは電源コード４０ｃが延出されている。
【００２１】
側部４１は、基部４０と同様にステンレス材等にて基部４０の上面を覆うように湾曲凸状に形成され、基部４０の長手方向に沿って延設されている。側部４１は、上頂部に基部４０の長手方向に沿って開口部４１ａが開口されており、本実施例の側部４１は、開口部４１ａにて前後方向（図３及び図４において矢印Ｚ方向）に分割された前側部４１ｂ及び後側部４１ｃにて構成されている。
【００２２】
前側部４１ｂ及び後側部４１ｃは、それぞれが断面略円弧状の稜線を有するように湾曲形成され、開口部４１ａの開口縁部がＲ形状とされている。また、前側部４１ｂ及び後側部４１ｃの側面には、誘引光源２の誘引光を前後方向に露光する長孔状の小開口部４１ｄが開口されている。前側部４１ｂ及び後側部４１ｃの内側面には、捕虫紙３が上下方向を前側部４１ｂ及び後側部４１ｃの開口縁部と基部４０との間に係合されて取り付けられている。
【００２３】
図４及び図５に示すように、閉止部４２は、基部４０等と同様にステンレス材等にて側部４１の稜線形状に合わせた略半円状の閉止面４２ａを有するように形成され、閉止面４２ａの内側面及び基部４０に設けられたローラキャッチやマグネット等の取付部材４４を介して、基部４０の両端に着脱可能にそれぞれ取り付けられて、側部４１の側方が閉止される。閉止面４２ａの内側面には、側部４１の端面が係合される係合部材４２ｂ・４２ｂが形成され、基部４０に取り付けられた状態で、前側部４１ｂ及び後側部４１ｃの端面が係合部材４２ｂ・４２ｂに当接されるように配設されている。
【００２４】
図４乃至図６に示すように、当接部４３は、基部４０等と同様にステンレス材等にて断面逆台形状に形成され、閉止部４２の下方に形成されている。当接部４３は、水平面に対するなす角度θが異なる当接面４３ａ〜４３ｃが形成され、台形底面の水平当接面４３ａと、水平当接面４３ａと連続される台形側面の二つの傾斜当接面４３ｂ・４３ｃが設けられている。ここで、「水平面に対するなす角度θ」とは、捕虫器１が開口部４１ａを設置面Ｇに対して鉛直方向に向けて設置された状態での設置面Ｇに対する当接面４３ａ〜４３ｃの傾き角度のことをいい、本実施例では、水平当接面４３ａがなす角度θ１（θ１＝０°）、傾斜当接面４３ｂがなす角度θ２（０°＜θ２≦９０°）、傾斜当接面４３ｂがなす角度θ３（９０°≦θ３＜１８０°）となるように形成されている（図６参照）。
【００２５】
図７乃至図９に示すように、本実施例の捕虫器１は、当接部４３の当接面４３ａ〜４３ｃが設置面Ｇに当接された状態で横置きに設置され、具体的には、水平当接面４３ａが設置面Ｇに当接された状態では、水平当接面４３ａがなす角度θ１（θ１＝０°）であるため、開口部４１ａが鉛直方向に向けられて設置される（図７参照）。また、傾斜当接面４３ｂが設置面Ｇに当接された状態では、傾斜当接面４３ｂがなす角度θ２（０°＜θ２≦９０°）であるため、開口部４１ａが斜め前方に角度θ２だけ傾けられて設置され（図８参照）、傾斜当接面４３ｂが設置面Ｇに当接された状態では、傾斜当接面４３ｂがなす角度θ３（９０°≦θ３＜１８０°）であるため、開口部４１ａが斜め後方に角度θ３だけ傾けられて設置される（図９参照）、
【００２６】
また、図１、図２、４及び図５等に示したように、本実施例の閉止部４２（の閉止面４２ａ）及び当接部４３は、端面が面一状に形成されており、閉止部４２の閉止面４２ａ及び当接部４３の端面を設置面Ｇに当接させて縦置きも設置できるように構成されている。
【００２７】
以上のように、本実施例の捕虫器１は、虫を誘引するための誘引光源２と、誘引光源２にて誘引された虫を捕獲する捕虫紙３と、誘引光源２及び捕虫紙３を収納する筐体４と、を具備してなる捕虫器１において、筐体４は、上面に誘引光源２を固定する基部４０と、基部４０の長手方向に沿って上面を覆うように配設され、上頂部に開口部４１ａが形成されるとともに、内側面に捕虫紙３が配設される側部４１と、基部４０の両端に取り付けられ側部４１の側方を閉止する閉止部４２・４２と、閉止部４２の下方に配設され、水平面に対するなす角度θが異なる当接面４３ａ〜４３ｃが形成される当接部４３と、を有してなり、当接部４３の何れかの当接面４３ａ〜４３ｃが設置面Ｇに当接された状態で設置されるため、設置環境に対応して充分な誘引効果を発揮できるのである。
【００２８】
すなわち、本実施例の捕虫器１は、水平面に対するなす角度θが異なる複数の当接面当接面４３ａ〜４３ｃが形成される当接部４３を有してなり、当接部４３の何れかの当接面４３ａ〜４３ｃが設置面Ｇに当接された状態で設置することができるため設置姿勢が限定されず、例えば、横向きに据え置いて使用する場合に、当接面４３ａ〜４３ｃを切り換えて設置姿勢を変更することで、設置環境に応じて開口部４１ａの向きを上下方向や前後方向に容易に調整することができ、所定方向に向けられた開口部４１ａから漏れ出る誘引光で虫を効果的に誘引できる。
【００２９】
特に、本実施例の捕虫器１は、当接部４３が断面逆台形状に形成され、台形底面の水平当接面４３ａと、水平当接面４３ａと連続される台形側面の二つの傾斜当接面４３ｂ・４３ｃを有してなるため、当接面４３ａ〜４３ｃの切り換えが容易であり、設置姿勢を安定して素早く変更することができるため、誘引効果を高め、利用者の利便性を向上できる。
【００３０】
また、閉止部４２は、閉止面４２ａの内側面に側部４１の端面が係合される係合部材４２ｂ・４２ｂが形成されるため、側部４１の変形を防止でき、特に、据え置き型として用いられる場合に、所定の設置場所において移動・設置・設置姿勢変更・撤収などの一連の据え置き作業中に捕虫器１が変形してしまうのを効果的に防止できる。
【００３１】
なお、捕虫器１の構成としては、上述した実施例に限定されず、本考案の目的を逸脱しない限りにおいて種々の変更が可能である。
【００３２】
例えば、図１０及び図１１に示す捕虫器１のように、閉止部４２及び当接部４３の構成において、当接部４３が閉止部４２の閉止面４２ａの内側面に形成され、閉止部４２が基部４０に取り付けられた状態で、閉止面４２ａにて基部４０と側部４１の側方が閉止されるように構成されてもよい。なお、本実施例の捕虫器１では、当接部４３の当接面４３ｂ・４３ｃの裏側に隙間埋め用の断面三角形状のブロック部材４５・４５がそれぞれ配設されている。
【００３３】
また、上述した実施例の捕虫器１では、当接部４３が断面逆台形状に形成されるが、かかる当接部４３の形状はこれに限定されず、少なくとも二以上の複数の当接面を有する形状に形成され、例えば、断面逆直角台形状や、水平面に対するなす角度θが異なる３つ以上の当接面を有する形状等に形成されてもよい。
【００３４】
また、上述した実施例の捕虫器１では、横向きに据え置いて使用される据え置き型として構成されるが、かかる構成に限定されず、例えば、壁面、天井面等の設置面に固定して使用される固定型として構成されてもよい。固定型の場合であっても、当接部４３の何れかの当接面４３ａ〜４３ｃが設置面Ｇに当接された状態で設置することで開口部４１ａの向きを調整できるので、据え置き型と同様に設置環境に応じた誘引効果を発揮できる。
【符号の説明】
【００３５】
１      捕虫器
２      誘引光源
３      捕虫紙
４      筐体
４０    基部
４０ａ  ソケット
４０ｂ  反射板
４０ｃ  電源コード
４１    側部
４１ａ  開口部
４１ｂ  前側部
４１ｃ  後側部
４１ｄ  小開口部
４２    閉止部
４２ａ  閉止面
４２ｂ  係合部材
４３    当接部
４３ａ  水平当接面
４３ｂ  傾斜当接面
４３ｃ  傾斜当接面
【図１】
0003204262.tif 000003
【図２】
0003204262.tif 000004
【図３】
0003204262.tif 000005
【図４】
0003204262.tif 000006
【図５】
0003204262.tif 000007
【図６】
0003204262.tif 000008
【図７】
0003204262.tif 000009
【図８】
0003204262.tif 000010
【図９】
0003204262.tif 000011
【図１０】
0003204262.tif 000012
【図１１】
0003204262.tif 000013